(57)【特許請求の範囲】
【請求項１】
ハウジング本体と、該ハウジング本体の開口部に装着される上蓋と、で構成されるハウジングと、
前記ハウジング本体に支持され、ビーム光を射出する光源部と、
前記ハウジング内に配置され、前記光源部から射出されるビーム光を偏向するポリゴンミラーと、
前記ポリゴンミラーを回転駆動させるポリゴンモーターと、
を有し、被走査面を偏向走査する光走査装置において、
前記ハウジング本体の底面には、画像形成装置本体の本体フレームの係合穴に係合して前記ハウジングの位置決めを行う位置決めボスと、前記光走査装置の単体での姿勢を保持する３つ以上の姿勢保持突起と、が設けられており、
前記姿勢保持突起の前記ハウジング本体の底面に対する突出高さは、前記位置決めボスの前記ハウジング本体の底面に対する突出高さよりも大きく、
前記ハウジングには、ビーム光を折り返して前記被走査面へ導く折り返しミラーと、前記折り返しミラーの長手方向の傾きを調整するミラー調整機構と、が設けられており、
前記ハウジング本体の底面のうちの前記ミラー調整機構が設けられた部分は、前記ミラー調整機構との接触を回避するために外側に突出した突出部となっており、
前記突出部は、前記姿勢保持突起を兼ねており、
前記ミラー調整機構は前記折り返しミラーの下方に設けられており、
前記突出部は、前記折り返しミラーと前記ミラー調整機構のうち、前記ミラー調整機構に対応する部分だけに設けられ、
前記突出部の断面は台形状であることを特徴とする光走査装置。
【請求項２】
前記ハウジング本体の底面には、前記ハウジング本体を前記画像形成装置本体の前記本体フレーム上に固定するビスが締結される締結部が設けられており、
前記位置決めボスの前記ハウジング本体の底面に対する突出高さは、前記締結部の前記ハウジング本体の底面に対する突出高さよりも大きいことを特徴とする請求項１に記載の光走査装置。
【請求項３】
請求項１または２に記載の光走査装置と、前記光走査装置が載置される本体フレームと、を備えることを特徴とする画像形成装置。
【請求項４】
光走査装置と、前記光走査装置が載置される本体フレームと、を備え、
前記光走査装置は、
ハウジング本体と、該ハウジング本体の開口部に装着される上蓋と、で構成されるハウジングと、
前記ハウジング本体に支持され、ビーム光を射出する光源部と、
前記ハウジング内に配置され、前記光源部から射出されるビーム光を偏向するポリゴンミラーと、
前記ポリゴンミラーを回転駆動させるポリゴンモーターと、
を有し、被走査面を偏向走査し、
前記ハウジング本体の底面には、画像形成装置本体の本体フレームの係合穴に係合して前記ハウジングの位置決めを行う位置決めボスと、前記光走査装置の単体での姿勢を保持する３つ以上の姿勢保持突起と、が設けられており、
前記姿勢保持突起の前記ハウジング本体の底面に対する突出高さは、前記位置決めボスの前記ハウジング本体の底面に対する突出高さよりも大きく、
前記ハウジングには、ビーム光を折り返して前記被走査面へ導く折り返しミラーと、前記折り返しミラーの長手方向の傾きを調整するミラー調整機構と、が設けられており、
前記ハウジング本体の底面のうちの前記ミラー調整機構が設けられた部分は、前記ミラー調整機構との接触を回避するために外側に突出した突出部となっており、
前記突出部は、前記姿勢保持突起を兼ねており、
前記ハウジングには、前記ポリゴンモーターを冷却する空気流が通過する冷却ダクトが設けられており、
前記本体フレームには、前記突出部が嵌り込む第１開口穴が設けられており、
前記第１開口穴は、前記突出部が嵌り込んだ状態で空気流が通過可能で、かつ、前記冷却ダクトと連通するように形成されていることを特徴とする画像形成装置。
【請求項５】
前記ハウジング本体の底面には、前記姿勢保持突起が嵌り込む第２開口穴が設けられており、
前記第２開口穴には、前記姿勢保持突起に接触する防振部材が設けられていることを特徴とする請求項３または４に記載の画像形成装置。
【発明の詳細な説明】
【技術分野】
【０００１】
本発明は、プリンター、複写機、及びファクシミリ等の画像形成装置に用いられる、ビーム光を走査して画像を書き込み形成する光走査装置及びそれを備えた画像形成装置に関するものである。
【背景技術】
【０００２】
従来、複写機やプリンター等の電子写真方式を用いる画像形成装置では、帯電装置によって均一に帯電された感光体ドラムの表面に、入力された画像データに基づいて変調したビーム光（レーザー光）を照射して走査する光走査装置を備えており、この光走査装置によって形成された静電潜像が現像装置によってトナー像に現像され、さらにトナー像を記録紙等に転写し、定着装置により永久像とする画像形成プロセスが行われる。
【０００３】
このような光走査装置は、ＬＤ（レーザーダイオード）等の光源部、ポリゴンミラー、走査レンズ、平面ミラー等の光学部材をハウジング内に備えており、画像形成装置の構成ユニットの中でも精密性が高く、ポリゴンミラーの高速回転に伴う振動や温度上昇による熱変形等を考慮した構成にしておく必要がある。
【０００４】
例えば特許文献１には、下面が開放されたハウジングケースの天板内側に光走査装置の構成部品を予め装着し、ハウジングケースを左右一対の治具ブロックに載置したタイバーに固定した後、ハウジングケースをタイバーと共にプリンターのメインフレームに取付け固定する光走査装置の取付け構造が開示されている。
【０００５】
また、特許文献２には、光ビーム発生器と光偏向器とを含む複数の光学部品を保持した第１のフレームと、第１のフレームにおける最後段の光学部品から出力される光ビームを入射して画像形成面の存在する方向に射出する光ビーム方向変更手段を保持した第２のフレームと、第１のフレームに対して第２のフレームを位置決めした状態で両者を固定して一体化するフレーム一体化手段と、一体化した第１および第２のフレームを所定の不動部材に別個に固定するフレーム固定手段とを具備する光走査装置が開示されている。
【０００６】
また、特許文献３には、光学箱に設けられた複数の位置決め部のうち、高さ方向の位置決め固定を３点で行うとともに、この３点の位置決め部とは別に、弾性部材を介して高さ方向の押えを行うようにした光走査装置が開示されている。特許文献４には、光学箱をその支持手段に対して位置決めするための少なくとも１個の位置決めプレートを有し、該位置決めプレートが、互いに異なる向きに配設された第１および第２の位置決め部を備えており、第１または第２の位置決め部を用いて光学箱の位置決めを行なうように構成された光走査装置が開示されている。
【先行技術文献】
【特許文献】
【０００７】
【特許文献１】特開平８−２２１７５号公報
【特許文献２】特開平８−２４４２７０号公報
【特許文献３】特開平８−２７８６７０号公報
【特許文献４】特開２０００−１００３６号公報
【発明の概要】
【発明が解決しようとする課題】
【０００８】
従来、光走査装置の底面には、光走査装置を画像形成装置の本体フレーム上に固定するビスが締結される締結部や位置決め用のボスが設けられている。平面状の本体フレームに光走査装置を取り付ける場合、位置決め用のボスは、締結部に比べて光走査装置の底面に対する突出高さが大きくなるように形成される。
【０００９】
しかしながら、位置決め用のボスは通常、光走査装置の底面に２つだけ設けられるので、光走査装置の単体での姿勢が不安定になる。また、位置決め用のボスが他の部材と接触する可能性が高くなるので、位置決め用のボスが損傷する場合がある。
【００１０】
本発明は、上記問題点に鑑み、光走査装置の単体での姿勢が不安定になるのを抑制するとともに、位置決め用のボスが損傷するのを抑制することが可能な光走査装置及びそれを備えた画像形成装置を提供することを目的とする。
【課題を解決するための手段】
【００１１】
上記目的を達成するために本発明の第１の構成は、ハウジングと、光源部と、ポリゴンミラーと、ポリゴンモーターと、を有し、被走査面を偏向走査する光走査装置である。ハウジングは、ハウジング本体と、ハウジング本体の開口部に装着される上蓋と、で構成される。光源部は、ハウジング本体に支持され、ビーム光を射出する。ポリゴンミラーは、ハウジング内に配置され、光源部から射出されるビーム光を偏向する。ポリゴンモーターは、ポリゴンミラーを回転駆動させる。ハウジング本体の底面には、画像形成装置本体の本体フレームの係合穴に係合してハウジングの位置決めを行う位置決めボスと、光走査装置の単体での姿勢を保持する３つ以上の姿勢保持突起と、が設けられている。姿勢保持突起のハウジング本体の底面に対する突出高さは、位置決めボスのハウジング本体の底面に対する突出高さよりも大きい。
【発明の効果】
【００１２】
本発明の第１の構成によれば、姿勢保持突起のハウジング本体の底面に対する突出高さは、位置決めボスのハウジング本体の底面に対する突出高さよりも大きい。これにより、ハウジング本体を載置したときに位置決めボスが他の部材と接触するのを抑制することができるので、位置決めボスが損傷するのを抑制することができる。
【００１３】
また、ハウジング本体の底面には、３つ以上の姿勢保持突起が設けられている。これにより、光走査装置の単体での姿勢が不安定になるのを抑制することができる。
【図面の簡単な説明】
【００１４】
【図１】本発明の一実施形態に係る光走査装置４ａ、４ｂが搭載された画像形成装置１００の全体構成を示す概略図
【図２】光走査装置４ａの内部構造を示す斜視図
【図３】光走査装置４ａの内部構造を示す平面図
【図４】光走査装置４ａの内部構造を模式的に示す側面断面図
【図５】光走査装置４ａを裏面側から見た平面図
【図６】光走査装置４ａを光源部４３ａ、４３ｂ側から見た斜視図
【図７】光走査装置４ａを光源部４３ａ、４３ｂの反対側から見た斜視図
【図８】光走査装置４ａの光源部４３ａ、４３ｂ側の断面図
【図９】光走査装置４ａ、４ｂが固定される本体フレーム１９の斜視図
【図１０】光走査装置４ａ、４ｂを本体フレーム１９に固定した状態を示す斜視図
【図１１】本発明の変形例の画像形成装置１００の本体フレーム１９に設けられた防振部材７６周辺の構造を示す断面図
【発明を実施するための形態】
【００１５】
以下、図面を参照しながら本発明の実施形態について説明する。図１は、光走査装置４ａ、４ｂが搭載された画像形成装置１００の概略断面図であり、ここではタンデム方式のカラー画像形成装置について示している。画像形成装置１００本体内には４つの画像形成部Ｐａ、Ｐｂ、Ｐｃ及びＰｄが、搬送方向上流側（図１では右側）から順に配設されている。これらの画像形成部Ｐａ〜Ｐｄは、異なる４色（シアン、マゼンタ、イエロー及びブラック）の画像に対応して設けられており、それぞれ帯電、露光、現像及び転写の各工程によりシアン、マゼンタ、イエロー及びブラックの画像を順次形成する。
【００１６】
これらの画像形成部Ｐａ〜Ｐｄには、各色の可視像（トナー像）を担持する感光体ドラム１ａ、１ｂ、１ｃ及び１ｄが配設されており、さらに駆動手段（図示せず）により図１において時計回り方向に回転する中間転写ベルト８が各画像形成部Ｐａ〜Ｐｄに隣接して設けられている。これらの感光体ドラム１ａ〜１ｄ上に形成されたトナー像が、各感光体ドラム１ａ〜１ｄに当接しながら移動する中間転写ベルト８上に順次転写された後、二次転写ローラー９において転写紙Ｐ上に一度に転写され、さらに、定着部７において転写紙Ｐ上に定着された後、装置本体より排出される。感光体ドラム１ａ〜１ｄを図１において反時計回り方向に回転させながら、各感光体ドラム１ａ〜１ｄに対する画像形成プロセスが実行される。
【００１７】
トナー像が転写される転写紙Ｐは、画像形成装置１００本体下部の用紙カセット１６内に収容されており、給紙ローラー１２ａ及びレジストローラー対１２ｂを介して二次転写ローラー９へと搬送される。中間転写ベルト８には誘電体樹脂製のシートが用いられ、主に継ぎ目を有しない（シームレス）ベルトが用いられる。
【００１８】
次に、画像形成部Ｐａ〜Ｐｄについて説明する。回転可能に配設された各感光体ドラム１ａ〜１ｄの周囲及び下方には、感光体ドラム１ａ〜１ｄを帯電させる帯電器２ａ、２ｂ、２ｃ及び２ｄと、感光体ドラム１ａ〜１ｄに画像情報を露光する光走査装置４ａ及び４ｂと、感光体ドラム１ａ〜１ｄ上にトナー像を形成する現像ユニット３ａ、３ｂ、３ｃ及び３ｄと、感光体ドラム１ａ〜１ｄ上に残留した現像剤（トナー）を除去するクリーニング部５ａ、５ｂ、５ｃ及び５ｄが設けられている。光走査装置４ａ、４ｂは画像形成装置１００の本体フレーム１９にビス固定されている。
【００１９】
ユーザーにより画像形成開始が入力されると、先ず、帯電器２ａ〜２ｄによって感光体ドラム１ａ〜１ｄの表面を一様に帯電させ、次いで光走査装置４ａ及び４ｂによってレーザー光を照射し、各感光体ドラム１ａ〜１ｄ上に画像信号に応じた静電潜像を形成する。現像ユニット３ａ〜３ｄには、それぞれシアン、マゼンタ、イエロー及びブラックの各色のトナーが補給装置（図示せず）によって所定量充填されている。このトナーは、現像ユニット３ａ〜３ｄにより感光体ドラム１ａ〜１ｄ上に供給され、静電的に付着することにより、光走査装置４ａ、４ｂからの露光により形成された静電潜像に応じたトナー像が形成される。
【００２０】
そして、一次転写ローラー６ａ〜６ｄと中間転写ベルト８との間に所定の転写電圧で電界が付与された後、一次転写ローラー６ａ〜６ｄにより感光体ドラム１ａ〜１ｄ上のシアン、マゼンタ、イエロー、及びブラックのトナー像が中間転写ベルト８上に転写される。これらの４色の画像は、所定のフルカラー画像形成のために予め定められた所定の位置関係をもって形成される。その後、引き続き行われる新たな静電潜像の形成に備え、感光体ドラム１ａ〜１ｄの表面の残留トナーがクリーニング部５ａ〜５ｄにより除去される。
【００２１】
中間転写ベルト８は、上流側の搬送ローラー１０と、下流側の駆動ローラー１１とに掛け渡されており、駆動モーター（図示せず）による駆動ローラー１１の回転に伴い中間転写ベルト８が時計回り方向に回転を開始すると、転写紙Ｐがレジストローラー対１２ｂから所定のタイミングで中間転写ベルト８に隣接して設けられた二次転写ローラー９へ搬送され、中間転写ベルト８上に形成されたフルカラー画像が転写される。トナー像が転写された転写紙Ｐは定着部７へと搬送される。
【００２２】
定着部７に搬送された転写紙Ｐは、定着ローラー対１３により加熱及び加圧されてトナー像が転写紙Ｐの表面に定着され、永久像とされる。定着部７においてフルカラー画像が定着された転写紙Ｐは、複数方向に分岐した分岐部１４によって搬送方向が振り分けられる。転写紙Ｐの片面のみに画像を形成する場合は、そのまま排出ローラー対１５によって排出トレイ１７に排出される。
【００２３】
一方、転写紙Ｐの両面に画像を形成する場合は、定着部７を通過した転写紙Ｐの大部分を排出トレイ１７に排出した後、排出ローラー対１５を逆回転させて再び装置内部に引き込む。引き込まれた転写紙Ｐは分岐部１４で反転搬送路１８に振り分けられ、画像面を反転させた状態で二次転写ローラー９に再搬送される。そして、中間転写ベルト８上に形成された次の画像が二次転写ローラー９により転写紙Ｐの画像が形成されていない面に転写され、定着部７に搬送されてトナー像が定着された後、排出トレイ１７に排出される。
【００２４】
図２及び図３は、それぞれ本発明の光走査装置４ａの内部構成を示す斜視図及び平面図であり、図４は、光走査装置４ａの内部構造を模式的に示す側面断面図（図３のＡＡ′矢視断面図）である。なお、図２及び図３では、光走査装置４ａの内部が見えるように上蓋４１ｂを取り外した状態を示している。また、ここでは光走査装置４ａの構成について説明するが、光走査装置４ｂについても全く同様の構成である。
【００２５】
図２〜図４に示すように、光走査装置４ａはハウジング本体４１ａと上蓋４１ｂで構成されるハウジング４１を有しており、ハウジング本体４１ａの略中央部にはポリゴンミラー４２が配置されている。本実施形態では、ポリゴンミラー４２は側面に６つの偏向面（反射面）を有する正六角形の回転多面鏡から成り、ポリゴンモーター５１により所定の速度で回転する。ポリゴンモーター５１はハウジング本体４１ａの底面に形成されたモーター位置決め穴５２に嵌合している。
【００２６】
また、ハウジング本体４１ａの前面側（図３の下側）の側壁には２つの光源部４３ａ、４３ｂが配置されている。光源部４３ａ、４３ｂはＬＤ（レーザーダイオード）で構成され、画像信号に基づき光変調したビーム光（レーザー光）Ｄ１、Ｄ２を射出する。
【００２７】
光源部４３ａ、４３ｂとポリゴンミラー４２との間には、各光源部４３ａ、４３ｂに対応して設けられた２つのコリメーターレンズ４４ａ、４４ｂと、コリメーターレンズ４４ａ、４４ｂを通過したビーム光Ｄ１、Ｄ２をそれぞれ所定の光路幅とする２つの第１アパーチャ４５ａ、４５ｂと、第１アパーチャ４５ａ、４５ｂを通過した後、ビーム光Ｄ１、Ｄ２がそれぞれ通過する２つのシリンドリカルレンズ４６ａ、４６ｂと、シリンドリカルレンズ４６ａ、４６ｂを通過したビーム光Ｄ１、Ｄ２をそれぞれ所定の光路幅とする第２アパーチャ４７ａ、４７ｂが配置されている。
【００２８】
コリメーターレンズ４４ａ、４４ｂは光源部４３ａ、４３ｂから射出したビーム光Ｄ１、Ｄ２をそれぞれ略平行光束にするものであり、シリンドリカルレンズ４６ａ、４６ｂは副走査方向（図３の紙面と垂直な方向）にのみ所定の屈折力を有するものである。また、ハウジング本体４１ａ内には走査レンズ４８ａ、４８ｂがポリゴンミラー４２を挟んでそれぞれ対向配置されている。走査レンズ４８ａ、４８ｂはｆθ特性を有しており、ポリゴンミラー４２によって偏向反射されたビーム光を感光体ドラム１ａ〜１ｄ（図１参照）上に結像させる。また、走査レンズ４８ａ、４８ｂから感光体ドラム１ａ〜１ｄ（図１参照）までの各ビーム光Ｄ１、Ｄ２の光路上にはそれぞれ３つの平面ミラー（折り返しミラー）４９ａ、４９ｂが配置されている。
【００２９】
上記のように構成された光走査装置４ａによるビーム光の走査動作について説明する。まず、図２及び図３に示すように、光源部４３ａ、４３ｂから射出されたビーム光Ｄ１、Ｄ２は、コリメーターレンズ４４ａ、４４ｂによって略平行光束とされ、第１アパーチャ４５ａ、４５ｂによって所定の光路幅とされる。次に、略平行光束となったビーム光Ｄ１、Ｄ２をシリンドリカルレンズ４６ａ、４６ｂに入射させる。シリンドリカルレンズ４６ａ、４６ｂに入射したビーム光Ｄ１、Ｄ２は、主走査断面においてはそのまま平行光束の状態で、副走査方向においては収束して射出され、第２アパーチャ４７ａ、４７ｂによって所定の光路幅とされた後、ポリゴンミラー４２の偏向面に線像として結像する。
【００３０】
ポリゴンミラー４２に入射されたビーム光Ｄ１、Ｄ２は、ポリゴンミラー４２によって等角速度偏向された後、走査レンズ４８ａ、４８ｂによって等速度偏向される。走査レンズ４８ａ、４８ｂを通過したビーム光Ｄ１、Ｄ２は、図４に示すように、それぞれの光路に配置された平面ミラー４９ａ、４９ｂによって所定回数（ここでは３回）折り返され、上蓋４１ｂに形成された窓部５４を通過して感光体ドラム１ｃ、１ｄへ配光される。光走査装置４ｂから射出されたビーム光も同様にして感光体ドラム１ａ、１ｂへ配光される。
【００３１】
図５は、光走査装置４ａを裏面側から見た平面図、図６及び図７は、それぞれ光走査装置４ａを光源部４３ａ、４３ｂ側とその反対側から見た斜視図、図８は、光走査装置４ａの光源部４３ａ、４３ｂ側の断面図、図９は、光走査装置４ａ、４ｂが固定される本体フレーム１９の斜視図である。図５〜図９を参照しながら、本体フレーム１９に対する光走査装置４ａ、４ｂの取り付け構造について説明する。以下、光走査装置４ａについて説明するが、光走査装置４ｂについても全く同様である。
【００３２】
図５に示すように、ハウジング本体４１ａの底面４１ａａには、第１締結部６０ａ、第２締結部６０ｂ、第３締結部６０ｃが設けられている。第１締結部６０ａ〜第３締結部６０ｃは、ハウジング本体４１ａの底面４１ａａから環状に突出しており、中央にはビス８０（図７参照）が挿入される貫通穴が形成されている。３つの締結部（第１締結部６０ａ〜第３締結部６０ｃ）は、底面が本体フレーム１９に当接し、本体フレーム１９に対するハウジング本体４１ａの高さ方向の位置決めを行う。
【００３３】
第１締結部６０ａ、第２締結部６０ｂは、底面４１ａａの光源部４３ａ、４３ｂ側（図５の下側）に、光源部４３ａ、４３ｂを挟み込むように配置されている。第３締結部６０ｃは、光源部４３ａ、４３ｂと反対側（図５の上側）に配置されている。これにより、ハウジング本体４１ａの光源部４３ａ、４３ｂ側を本体フレーム１９に安定して締結することができる。
【００３４】
底面４１ａａの光源部４３ａ、４３ｂ側とその反対側（図５の上下端部）には、本体フレーム１９に対するハウジング本体４１ａの面方向（水平方向）の位置決めを行う位置決めボス６１ａ、６１ｂが突設されている。位置決めボス６１ａ、６１ｂは、それぞれハウジング本体４１ａの幅方向（図５の左右方向）中央部に配置されている。また、位置決めボス６１ａ、６１ｂの底面４１ａａに対する突出高さは、第１締結部６０ａ〜第３締結部６０ｃの底面４１ａａに対する突出高さよりも大きい。
【００３５】
図６及び図７に示すように、底面４１ａａは、幅方向（図５の左右方向）中央部が光源部４３ａ、４３ｂ側とその反対側とに亘って内側に凹んだ形状の冷却ダクト６３が設けられている。冷却ダクト６３は、光源部４３ａ、４３ｂと反対側に吸気口６３ａが形成され、光源部４３ａ、４３ｂ側に排気口６３ｂが形成されている。
【００３６】
図５に示したように、冷却ダクト６３を底面４１ａａ側から見たとき、中央部は大きく開口しており、光走査装置４ａが本体フレーム１９（図９参照）に固定されたとき本体フレーム１９が冷却ダクト６３の底面の一部を構成する。また、冷却ダクト６３の両端部（吸気口６３ａと排気口６３ｂの近傍）では底面４１ａａが橋渡し状に残されており、冷却ダクト６３の底面の一部を構成している。そして、この橋渡し状の底面４１ａａに位置決めボス６１ａ、６１ｂが外向き（下向き）に突設されている。
【００３７】
冷却ファン（図示せず）によって発生した空気流が、吸気口６３ａから排気口６３ｂに向かって（図５の矢印方向）冷却ダクト６３内を流れることにより、冷却ダクト６３内に突出するポリゴンモーター５１（図４参照）を冷却する。これにより、ポリゴンモーター５１からの放熱によるハウジング本体４１ａの熱変形を抑制することができる。
【００３８】
また、底面４１ａａの光源部４３ａ、４３ｂ側とその反対側（図５の上下端部）には、光走査装置４ａの単体での姿勢を保持する姿勢保持突起６２ａ、６２ｂ、６４ａおよび６４ｂが突設されている。姿勢保持突起６２ａ、６２ｂは、底面４１ａａの光源部４３ａ、４３ｂ側（図５の下側）に、冷却ダクト６３に隣接して配置されている。姿勢保持突起６４ａ、６４ｂは、底面４１ａａの光源部４３ａ、４３ｂと反対側（図５の上側）に、ハウジング本体４１ａの幅方向（図５の左右方向）の両端部に配置されている。
【００３９】
姿勢保持突起６２ａ、６２ｂ、６４ａおよび６４ｂの底面４１ａａに対する突出高さは、位置決めボス６１ａ、６１ｂの底面４１ａａに対する突出高さよりも大きい。なお、姿勢保持突起６２ａ、６２ｂ、６４ａおよび６４ｂの底面４１ａａに対する突出高さは、互いに略同じである。
【００４０】
図８に示すように、ハウジング本体４１ａの内部には、感光体ドラム１ｃ、１ｄの表面（被走査面）に対する光路ずれ（スキュー）を調整するためのスキュー調整機構（ミラー調整機構）９０が設けられている。スキュー調整機構９０は、調整ツマミ９０ａ、９０ｂ（図６参照）を所定方向に回転させることで、窓部５４の直近に配置された平面ミラー４９ａ、４９ｂの長手方向の一端側に当接する押圧部材を平面ミラー４９ａ、４９ｂの反射面に対して垂直方向に往復移動させ、平面ミラー４９ａ、４９ｂの長手方向の傾きを調整する。さらに、光走査装置４ａの上面（上蓋４１ｂ）には、窓部５４を清掃する清掃部材（図示せず）を窓部５４に沿って往復移動させるスクリュー７０が設けられている。
【００４１】
ハウジング本体４１ａの底面４１ａａのうちのスキュー調整機構９０が設けられた部分は、スキュー調整機構９０との接触を回避するために外側（下側）に突出した台形状の突出部となっている。そして、この突出部は、姿勢保持突起６２ａ、６２ｂを兼ねている。
【００４２】
本体フレーム１９は板金製であり、図９に示すように、光走査装置４ａを設置したときハウジング本体４１ａの第１締結部６０ａ〜第３締結部６０ｃに対向する位置には、ビス８０が締結されるビス締結穴７１ａ〜７１ｃが形成されている。また、ハウジング本体４１ａの位置決めボス６１ａ、６１ｂに対向する位置には、位置決めボス６１ａ、６１ｂが係合する係合穴７３ａ、７３ｂが形成されている。
【００４３】
また、ハウジング本体４１ａの姿勢保持突起６２ａ、６２ｂ、６４ａ、６４ｂに対向する位置には、姿勢保持突起６２ａ、６２ｂ、６４ａ、６４ｂが嵌め込まれる開口穴７２ａ、７２ｂ、７４ａ、７４ｂが形成されている。開口穴（第１開口穴）７２ａ、７２ｂは、姿勢保持突起６２ａ、６２ｂが嵌り込んだ状態で空気流が通過可能で、かつ、冷却ダクト６３と連通するように形成されている。
【００４４】
光走査装置４ａを本体フレーム１９に取り付ける際は、先ずハウジング本体４１ａ内のポリゴンミラー４２、光源部４３ａ、４３ｂ、アパーチャ４７ａ、４７ｂ、走査レンズ４８ａ、４８ｂ等の位置決めを行った後、ハウジング本体４１ａを本体フレーム１９上に載置する。そして、ハウジング本体４１ａの姿勢保持突起６２ａ、６２ｂ、６４ａ、６４ｂを本体フレーム１９の開口穴７２ａ、７２ｂ、７４ａ、７４ｂに嵌め込むとともに、ハウジング本体４１ａの位置決めボス６１ａ、６１ｂを本体フレーム１９の係合穴７３ａ、７３ｂに係合させる。これにより、ハウジング本体４１ａが本体フレーム１９に対して位置決めされる。その後、第１締結部６０ａ〜第３締結部６０ｃと本体フレーム１９のビス締結穴７１ａ〜７１ｃとをビス８０により締結することにより、光走査装置４ａが本体フレーム１９に固定される。
【００４５】
同様の手順により光走査装置４ｂの取り付けを行い、本体フレーム１９に対する光走査装置４ａ、４ｂの取り付けを完了する。本体フレーム１９に光走査装置４ａ、４ｂが固定された状態を図１０に示す。
【００４６】
本実施形態では、上記のように、姿勢保持突起６２ａ、６２ｂ、６４ａ、６４ｂのハウジング本体４１ａの底面４１ａａに対する突出高さは、位置決めボス６１ａ、６１ｂのハウジング本体４１ａの底面４１ａａに対する突出高さよりも大きい。これにより、ハウジング本体４１ａを載置したときに位置決めボス６１ａ、６１ｂが他の部材と接触するのを抑制することができるので、位置決めボス６１ａ、６１ｂが損傷するのを抑制することができる。
【００４７】
また、ハウジング本体４１ａの底面４１ａａには、３つ以上（ここでは４つ）の姿勢保持突起６２ａ、６２ｂ、６４ａ、６４ｂが設けられている。これにより、光走査装置４ａ、４ｂの単体での姿勢が不安定になるのを抑制することができる。
【００４８】
また、上記のように、ハウジング本体４１ａの底面４１ａａのうちのスキュー調整機構９０が設けられた部分を、スキュー調整機構９０との接触を回避するために外側に突出した突出部にする。これにより、ハウジング本体４１ａ全体が高くなるのを抑制することができるので、画像形成装置１００が大型化するのを抑制することができる。また、突出部は姿勢保持突起６２ａ、６２ｂを兼ねるので、光源部４３ａ、４３ｂ側に姿勢保持突起を別途設ける場合に比べて構造を簡素化することができる。
【００４９】
また、上記のように、位置決めボス６１ａ、６１ｂのハウジング本体４１ａの底面４１ａａに対する突出高さは、第１締結部６０ａ〜第３締結部６０ｃのハウジング本体４１ａの底面４１ａａに対する突出高さよりも大きい。これにより、第１締結部６０ａ〜第３締結部６０ｃが他の部材と接触するのを十分に抑制することができるので、第１締結部６０ａ〜第３締結部６０ｃが損傷するのを十分に抑制することができ、高さ方向の位置決め精度を確保することができる。
【００５０】
また、上記のように、本体フレーム１９には、姿勢保持突起６２ａ、６２ｂ、６４ａ、６４ｂが嵌り込む開口穴７２ａ、７２ｂ、７４ａ、７４ｂが設けられている。これにより、光走査装置４ａ、４ｂを本体フレーム１９の取付位置に配置した状態で、姿勢保持突起６２ａ、６２ｂ、６４ａ、６４ｂが本体フレーム１９に接触するのを回避し、位置決めボス６１ａ、６１ｂを本体フレーム１９の係合穴７３ａ、７３ｂに係合させてハウジング４１の位置決めを容易に行うことができる。また、開口穴７２ａ、７２ｂは、突出部（姿勢保持突起６２ａ、６２ｂ）が嵌り込んだ状態で空気流が通過可能で、かつ、冷却ダクト６３と連通するように形成されている。これにより、開口穴７２ａ、７２ｂは冷却ダクト６３内を通過する空気流の風抜き穴として機能し、冷却ダクト６３内で空気流の流れが低下する（悪くなる）のを抑制することができる。
【００５１】
その他本発明は、上記実施形態に限定されず、本発明の趣旨を逸脱しない範囲で種々の変更が可能である。例えば、上記実施形態では、２つの光源部４３ａ、４３ｂを備えた２ビーム方式の光走査装置４ａ、４ｂについて説明したが、本発明は２ビーム方式の光走査装置に限らず、４つの光源部を備えた４ビーム方式の光走査装置や、モノクロ複写機やモノクロプリンターに搭載されるシングルビーム方式の光走査装置にも全く同様に適用することができる。
【００５２】
また、光走査装置４ａ、４ｂの振動を抑制するように構成してもよい。この場合、例えば、図１１に示した本発明の変形例の画像形成装置１００のように、姿勢保持突起を利用して光走査装置４ａ、４ｂの振動を抑制してもよい。具体的には、本体フレーム１９の開口穴７４ａ、７４ｂに環状の弾性部材からなる防振部材７６を取り付け、防振部材７６の中央部の貫通穴に姿勢保持突起６４ａ、６４ｂを嵌め込んで接触させる。このように構成すれば、ポリゴンミラー４２を高速回転させた場合であっても、その振動を防振部材７６によって吸収することができるので、ハウジング４１の振動によるジッター（画像乱れ）の発生を抑制することができる。
【産業上の利用可能性】
【００５３】
本発明は、プリンター、複写機、及びファクシミリ等の画像形成装置に用いられる、ビーム光を走査して画像を書き込み形成する光走査装置に利用可能である。
【符号の説明】
【００５４】
１９            本体フレーム
４ａ、４ｂ      光走査装置
４１            ハウジング
４１ａ          ハウジング本体
４１ａａ        底面
４１ｂ          上蓋
４２            ポリゴンミラー
４３ａ、４３ｂ  光源部
４９ａ、４９ｂ  平面ミラー（折り返しミラー）
５１            ポリゴンモーター
６０ａ          第１締結部（締結部）
６０ｂ          第２締結部（締結部）
６０ｃ          第３締結部（締結部）
６１ａ、６１ｂ  位置決めボス
６２ａ、６２ｂ  姿勢保持突起（突出部）
６３            冷却ダクト
６４ａ、６４ｂ  姿勢保持突起
７２ａ、７２ｂ  開口穴（第１開口穴）
７３ａ、７３ｂ  係合穴
７４ａ、７４ｂ  開口穴（第２開口穴）
７６            防振部材
８０            ビス
９０            スキュー調整機構（ミラー調整機構）
１００          画像形成装置
Ｄ１、Ｄ２      ビーム光
【図１】
0006358073.tif 000002
【図２】
0006358073.tif 000003
【図３】
0006358073.tif 000004
【図４】
0006358073.tif 000005
【図５】
0006358073.tif 000006
【図６】
0006358073.tif 000007
【図７】
0006358073.tif 000008
【図８】
0006358073.tif 000009
【図９】
0006358073.tif 000010
【図１０】
0006358073.tif 000011
【図１１】
0006358073.tif 000012